(57)【特許請求の範囲】
【請求項１】
剃毛かみそり用のカートリッジであって、
前部（４４）と、後部（４６）と、第１の側部（４８；８６）と、当該第１の側部（４８；８６）と反対側の第２の側部（５０；８８）と、前記第１の側部（４８；８６）及び前記第２の側部（５０；８８）の少なくとも一方上のウィング部（５６，５８；９２，９６）と、を含むハウジング（４０；８２；１１２）と、
前記ハウジング（４０；８２）内に配設された１つ以上の剃毛刃（５２；９２；１２８）と、
前記ウィング部（５６，５８；９２，９６；１１４，１１６）内に配設された少なくとも１つのトリミング刃（６８，７０；１００，１０２；１３０，１３２）と、
を備え、
前記ウィング部（５６，５８；９２，９６；１１４，１１６）の前部の高さ（Ｈ１）が、前記ハウジング（４０；８２；１１２）の前記前部（４４）の高さ（Ｈ２）未満である、カートリッジ。
【請求項２】
次の特徴（ｉ）及び（ｉｉ）  
（ｉ）前記ウィング部（５６，５８；９２，９６；１１４，１１６）が、前記第１の側部（４８；８６）及び前記第２の側部（５０；８８）の少なくとも一方に柔軟に取り付けられている、
（ｉｉ）前記ウィング部（５６，５８；９２，９６；１１４，１１６）が、テーパが付けられた遠位端（６４，６６）を含んでいる、
の１つ以上を有している、請求項１に記載のカートリッジ。
【請求項３】
前記ウィング部（５６，５８：９２，９６；１１４，１１６）の前記前部の前記高さ（Ｈ１）は、前記ハウジング（４０；８２；１１２）の前記前部（４４）の前記高さ（Ｈ２）の１０％〜５０％である、請求項１に記載のカートリッジ。
【請求項４】
前記ウィング部（５６，５８；９２，９６；１１４，１１６）と当該ウィング部（５６，５８；９２，９６；１１４，１１６）に隣接した前記第１の側部（４８；８６）及び前記第２の側部（５０；８８）の少なくとも一方とは、同一面内にない、請求項１〜３のいずれか一項に記載のカートリッジ。
【請求項５】
前記ウィング部（５６，５８；９２，９６；１１４，１１６）の遠位端（６４，６６）が前記ハウジング（４０；８２；１１２）の前記前部（４４）の後方に配設されているというように、前記ウィング部（５６，５８；９２，９６；１１４，１１６）と当該ウィング部（５６，５８；９２，９６；１１４，１１６）に隣接した前記第１の側部（４８；８６）及び前記第２の側部（５０；８８）の少なくとも一方とは、１８０度〜２７０度の夾角（７６；１０４）を形成している、請求項４に記載のカートリッジ。
【請求項６】
剃毛用かみそり（１１０）であって、
ハンドル（１２０）と、
前記ハンドル（１２０）に操作可能に接続されており、かつ、前部（４４）と、後部（４６）と、第１の側部（４８；８６）と、当該第１の側部（４０；８６）と反対側の第２の側部（５０；８８）と、前記第１の側部（４８；８６）及び前記第２の側部（５０；８８）の少なくとも一方上のウィング部（５６，５８；９２，９６；１１４，１１６）と、を含む、ハウジング（４０；８２；１１２）と、
前記ハウジング（４０；８２）内に配設された１つ以上の剃毛刃（５２；９２；１２８）と、
前記ウィング部（５６，５８；９２，９６；１１４，１１６）内に配設された少なくとも１つのトリミング刃（６８，７０；１００，１０２；１３０，１３２）と、
を備え、
前記ウィング部（５６，５８；９２，９６；１１４，１１６）の前部の高さ（Ｈ１）が、前記ハウジング（４０；８２；１１２）の前記前部（４４）の高さ（Ｈ２）未満である、かみそり（１１０）。
【請求項７】
次の特徴（ｉ）、（ｉｉ）、（ｉｉｉ）、及び（ｉｖ）
（ｉ）前記ハウジング（４０；８２；１１２）が剃毛面（１２２）と接触する際に回動するように、前記ハウジング（４０；８２；１１２）が、前記ハンドル（１２０）と回動可能に接続されている、
（ｉｉ）前記ウィング部（５６，５８；９２，９６；１１４，１１６）が、前記第１の側部（４８；８６）及び前記第２の側部（５０；８８）の少なくとも一方に柔軟に取り付けられている、
（ｉｉｉ）前記ウィング部（５６，５８；９２，９６；１１４，１１６）が、前記ハンドル（１２０）に取り外し可能に接続されている、
（ｉｖ）前記ウィング部（５６，５８；９２，９６；１１４，１１６）が、テーパが付けられた遠位端（６４，６６）を含んでいる、
の１つ以上を有する、請求項６に記載のかみそり。
【請求項８】
前記ウィング部（５６，５８；９２，９６；１１４，１１６）の前記前部の前記高さ（Ｈ１）は、前記ハウジング（４０；８２；１１２）の前記前部（４４）の前記高さ（Ｈ２）の１０％〜５０％である、請求項６に記載のかみそり。
【請求項９】
前記ウィング部（５６，５８；９２，９６；１１４，１１６）と当該ウィング部（５６，５８；９２，９６；１１４，１１６）に隣接した前記第１の側部（４８；８６）及び前記第２の側部（５０；８８）の少なくとも一方とは、同一面内にない、請求項６〜８のいずれか一項に記載のかみそり。
【請求項１０】
前記ウィング部（５６，５８；９２，９６；１１４，１１６）の遠位端（６４，６６）が前記ハウジング（４０；８２；１１２）の前記前部（４４）の後方に配設されているというように、前記ウィング部（５６，５８；９２，９６；１１４，１１６）と当該ウィング部（５６，５８；９２，９６；１１４，１１６）に隣接した前記第１の側部（４８；８６）及び前記第２の側部（５０；８８）の少なくとも一方とは、１８０度〜２７０度の夾角（７６；１０４）を形成している、請求項９に記載のかみそり。
【発明の詳細な説明】
【技術分野】
【０００１】
本発明は、概して、カートリッジ及びかみそりに関し、より詳細には、トリミング刃を備えた湿式剃毛カートリッジ及びかみそりに関する。
【背景技術】
【０００２】
５枚刃の湿式剃毛かみそりといった剃毛かみそりにおける近年の進歩は、より緻密でよりきめが細かく、より快適な剃毛を提供することができる。しかしながら、刃の枚数が増えると、湿式剃毛かみそりのカートリッジの高さも増加し得る。更に、かみそりは、刃の上方に配設される潤滑ストリップを備えているので、カートリッジの高さは更に増加することになる。そのようなかみそりでは、到達しづらい又は狭い領域、例えば、鼻の下又は口の隅部を剃毛又はトリミングするのは、厄介でありかつ精度が落ちる可能性がある。例えば、鼻の下を剃毛する場合、カートリッジの高さは、鼻と口との間の距離よりもわずかに小さいだけとなる場合がある。
【０００３】
トリミングに対する現在のアプローチは、カートリッジの高さをわずかに低減する、又はカートリッジの上部に追加の刃を含むといった程度である。しかしながら、こうしたアプローチは、剃毛及びトリミングに更なる複雑性をもたらす可能性がある。トリミングに対する種々のアプローチがなされた剃毛かみそりの例は、米国特許出願公開第２０１０／０１０７４１６号及び同第２０１０／００７７６１９号、並びに米国特許第７，５４０，０８７号、同第７，６１７，６０７号、同第７，７３９，７９７号、及び同第７，７６１，９９９号に記載されている。
【先行技術文献】
【特許文献】
【０００４】
【特許文献１】米国特許出願公開第２０１０／０１０７４１６号
【特許文献２】米国特許出願公開第２０１０／００７７６１９号
【特許文献３】米国特許第７，５４０，０８７号
【特許文献４】米国特許第７，６１７，６０７号
【特許文献５】米国特許第７，７３９，７９７号
【特許文献６】米国特許第７，７６１，９９９号
【発明の概要】
【発明が解決しようとする課題】
【０００５】
必要なのは、トリミング刃が領域（例えば、到達しづらい又は狭い領域）をより容易かつ簡単にトリミング及び剃毛することができるように、トリミング刃の高さが狭い部分を含む剃毛カートリッジ及びかみそり（例えば、湿式剃毛かみそり又は電動湿式剃毛かみそり）である。
【課題を解決するための手段】
【０００６】
一態様において、本発明は、湿式又は乾式剃毛に適した剃毛かみそり用のカートリッジに関する。カートリッジは、前部と、後部と、第１の側部と、その第１の側部と反対側の第２の側部と、第１の側部及び第２の側部の少なくとも一方上のウィング部と、を含むハウジングを備えている。カートリッジはまた、ハウジング内に配設された１つ以上の剃毛刃と、ウィング部内に配設された少なくとも１つのトリミング刃とを備えている。
【０００７】
上記態様は、次の実施形態のうちの１つ以上を含むことができる。ウィング部は、第１の側部及び第２の側部の少なくとも一方に柔軟に取り付けられることができるか、又は、ウィング部は、第１の側部及び第２の側部の少なくとも一方と一体形成されることができる。ウィング部はテーパが付けられた遠位端を含むことができる。ウィング部の前部の高さは、ハウジングの前部の高さ未満であり得、好ましくはハウジングの前部の高さの１０％〜５０％、更により好ましくはハウジングの前部の高さの２０％であり得る。ウィング部と、そのウィング部に隣接した第１の側部及び第２の側部の少なくとも一方とは、同一面内にないことがあり得る。例えば、ウィング部の遠位端がハウジングの前部の後方に配設されているというように、ウィング部とそのウィング部に隣接した第１の側部及び第２の側部の少なくとも一方とは、約１８０度〜約２７０度の夾角を形成し得る。
【０００８】
別の態様において、本発明は剃毛用かみそりに関する。かみそりは、ハンドルと、ハンドルに操作可能に接続されているハウジングとを備えている。ハウジングは、前部と、後部と、第１の側部と、その第１の側部と反対側の第２の側部と、第１の側部及び第２の側部の少なくとも一方上のウィング部とを含む。かみそりはまた、ハウジング内に配設された１つ以上の剃毛刃と、ウィング部内に配設された少なくとも１つのトリミング刃とを備えている。
【０００９】
この態様は、次の実施形態の１つ以上を含み得る。ハウジングが剃毛面と接触する際に回動するように、ハウジングがハンドルと回動可能に接続されることができる。ウィング部は、第１の側部及び第２の側部の少なくとも一方に柔軟に取り付けられることができる。ウィング部はハンドルに取り外し可能に接続されることができる。例えば、ウィング部は、ハンドルに取り外し可能に固定されることができる。ウィング部は、第１の側部及び第２の側部の少なくとも一方と一体形成されることができる。ウィング部は、テーパが付けられた遠位端を含むことができる。ウィング部の前部の高さは、ハウジングの前部の高さ未満であり得、好ましくはハウジングの前部の高さの１０％〜５０％、更により好ましくはハウジングの前部の高さの２０％であり得る。ウィング部と、そのウィング部に隣接した第１の側部及び第２の側部の少なくとも一方とは、同一面内にないことがあり得る。例えば、ウィング部の遠位端がハウジングの前部の後方に配設されているというように、ウィング部とそのウィング部に隣接した第１の側部及び第２の側部の少なくとも一方とは、約１８０度〜約２７０度の夾角を形成し得る。
【００１０】
本発明の更に別の態様において、剃毛かみそりを使用して剃毛面をトリミングする方法が提供される。当該方法は、剃毛かみそり内に配設された１つ以上の剃毛刃を、剃毛面に沿って当てることと、トリミング刃が剃毛面と係合するように、剃毛かみそりを単一回転軸において約１８０度未満回転させることと、トリミング刃を剃毛面に沿って当てることと、を含む。この態様の実施形態において、１つ以上の剃毛刃は、トリミング刃を剃毛面に沿って当てる際に剃毛面と作動可能に係合しない。
【図面の簡単な説明】
【００１１】
本発明の他の特徴及び利点、並びに本発明自体は、種々の実施形態の以下の説明を添付の図面と共に読めば、より完全に理解されるであろう。
【図１】既知の剃毛かみそりの概略斜視図。
【図２】トリミング刃を剃毛面に当てた状態の図１の既知の剃毛かみそりの概略側部斜視図。
【図３】本発明の実施形態による剃毛カートリッジの概略正面図。
【図４】図３の剃毛カートリッジの概略上面図。
【図５】本発明の別の実施形態による剃毛カートリッジの概略正面図。
【図６】本発明の実施形態による剃毛かみそりの概略斜視図。
【図７】トリミング刃を皮膚に当てた状態の図６の剃毛かみそりの概略斜視図。
【発明を実施するための形態】
【００１２】
本明細書で使用するとき、「剃毛面」とは、哺乳類の皮膚の毛髪を有するあらゆる部分を含む。
【００１３】
特に記載のない限り、冠詞「ａ」、「ａｎ」、及び「ｔｈｅ」は、「１つ又はそれ以上」を意図する。
【００１４】
図１及び図２を参照すると、既知の剃毛かみそり１０は、上部１４と、前部１６と、後部１８と、第１の側部２０と、その第１の側部２０と反対側の第２の側部２２とを有するハウジング１２を備えている。ハウジング１２は、その中に配設された剃毛刃２４を備えている。剃毛刃２４は、ハウジング１２の前部１６に露出する刃先を有する。トリミング刃２６は、刃先がハウジング１２の上部１４に露出した状態で、ハウジング１２の上部１４に配設されている。ハウジング１２は、ハンドル３０のフード２８に取り付けられている。操作中、既知のかみそり１０は、剃毛刃２４及びトリミング刃２６をそれぞれ使用して、剃毛面３２を剃毛及びトリミングすることができる。
【００１５】
図３及び図４は、本発明のカートリッジの実施形態を示す。カートリッジは、前部４４と、後部４６と、第１の側部４８と、その第１の側部４８と反対側の第２の側部５０とを有するハウジング４２を備えている。剃毛刃５２のそれぞれがハウジング４２の前部４４に露出する刃先を有するように、１つ以上の剃毛刃５２がハウジング４２内に配設されている。これに加えて又は代替的に、剃毛面に潤いを与えるために又は剃毛中の潤滑剤を提供するために、ハウジング４２の前部４４の剃毛刃５２の上方に潤滑ストリップ５４が配設されてもよい。潤滑ストリップの例は、米国特許第５，４５４，１６４号、同第５，７１３，１３１号、同第６，２９８，５５８号、同第６，２９８，５５９号、及び同第６，７５４，９５８号に記載されている。ハウジング４２はまた、第１の側部４８に接して第１のウィング部５６を、また第２の側部５０に接して第２のウィング部５８を備えている。この実施形態では２つのウィング部が存在するが、カートリッジは、示されているよりも少ない又は多い数のウィング部を有してもよい。例えば、本発明のハウジング４２は、第１の側部４８及び第２の側部５０の少なくとも一方にウィング部を備えていてもよい。本明細書で使用するとき、ウィング部とは、ハウジングの第１の側部又は第２の側部からの突起部又は延出した部分を指す。ウィング部は、前部と、後部と、ハウジングの第１の側部又は第２の側部に対する近位端と、近位端と反対側の遠位端とを含む。あるいは、ウィング部は、ハウジングの任意の部分、例えば、前部、後部などから突出又は延在し得る。ウィング部の１つ以上の寸法は、ハウジングの前部、後部、第１の側部、又は第２の側部の１つ以上の寸法よりも小さい。例としては、ウィング部の前部の高さＨ１は、ハウジングの前部の高さＨ２よりも小さくあり得る、ウィング部の長さは、ハウジングの第１の側部と第２の側部との間の長さよりも小さい、などが挙げられるが、これらに限定されない。一実施形態では、ウィング部は、ハウジングの第１の側部及び第２の側部と一体形成されることができるか、又は当該側部に取り外し可能取り付けられることができる。
【００１６】
ウィング部５６，５８は、第１の側部４８の上部部分６０あたり、及び第２の側部５０の上部部分６２あたりに位置してもよい。一実施形態において、ウィング部５６，５８の上部は、第１の側部４８の上部及び第２の側部５０の上部と同一平面にあってもよい。必要に応じて、ウィング部５６，５８は、第１の側部４８及び第２の側部５０の中央部又は底部あたりに位置してもよい。ウィング部５６，５８の遠位端６４，６６はテーパが付けられている。あるいは、ウィング部５６，５８の遠位端６４，６６の高さは、大きくすることができるか、又は近位端とほぼ同じ高さであり得る。一実施形態では、少なくとも１つのトリミング刃が各ウィング部の中に配設されているというように、ウィング部５６，５８はその中に配設されたトリミング刃６８，７０を備えている。トリミング刃の例は、米国特許第７，１３１，２０２号、同第７，５４０，０８７号、同第７，６１７，６０７号、同第７，６９０，１２２号、同第７，７３９，７９７号、及び同第７，７６１，９９９号に記載されている。
【００１７】
トリミング刃６８，７０のそれぞれは、ウィング部５６，５８の前部に露出する刃先を有する。一実施形態では、例えば、切り傷（nicking）を防止するためにトリミング刃６８，７０の隅部又は端部がウィング部５６，５８の中に隠れるか又は小さい遮蔽物で覆われるように、トリミング刃６８，７０の刃先だけが露出してもよい。例えば、一実施形態では、ウィング部５６，５８の前部及び後部からトリミング刃６８，７０の長さの実質的に大部分を見ることができるように、トリミング刃６８，７０は、ウィング部５６，５８の端部の位置だけでウィング部５６，５８の中に取り付けられることができる。かかる実施形態では、ユーザーは、トリミング刃６８，７０が剃毛面上に配置されるのを、例えば、鏡の助けを借りてより容易に見ることができ、このことは、より正確な剃毛又はトリミングをもたらすことができる。トリミング刃６８，７０のそれぞれの長さは、剃毛刃５２の長さよりも短くてもよい。トリミング刃６８，７０は剃毛刃５２と平行であってもよく同一平面内にあってもよい。これに加えて又は代替的に、トリミング刃６８，７０を水ですすぐことができるように、ウィング部５６，５８は、トリミング刃６８，７０に隣接した又は実質的に隣接した開口部などのリンスチャネル７２，７４を画定し得る。例えば、実質的に隣接したとは、約０．００１ｍｍ〜約１０ｍｍの距離であってもよい。潤滑ストリップもまた、ウィング部５６，５８上（例えば、ウィング部５６，５８の前部のトリミング刃６８，７０の上方）に任意に配設されてもよい。
【００１８】
トリミングを強化するために、ウィング部５６，５８は、通常、ハウジング４２全体の高さＨ２よりも小さい高さＨ１を有し得る。ウィング部５６，５８の高さＨ１が比較的小さいことにより、到達しづらい又は狭い剃毛領域により容易にアクセスして、当該領域内でウィング部をより容易に操作することが可能となり得、更には、従来の多数刃のかみそりよりも長いトリミングストロークがもたらされる。ウィング部５６，５８にテーパが付けられている実施形態では、ウィング部５６，５８の高さＨ１は、最も幅の広い箇所で測った高さであると定義される。ウィング部５６，５８の前部高さＨ１は、ハウジング４２の前部４４の高さＨ２の好ましくは約１０％〜約５０％、更により好ましくはハウジング４２の前部４４の高さＨ２の約２０％であり得る。これに加えて又は代替的に、第１のウィング部５６の遠位端６４の高さは、第２のウィング部５８の遠位端６６の高さと等しくてもよく、等しくなくてもよい。
【００１９】
本発明の実施形態において、ウィング部５６，５８の遠位端６４，６６は、ハウジング４２の前部４４の後方に配設されている。例えば、ウィング部５６，５８のそれぞれの前部は、ハウジング４２の前部４４に対して同一面内になく、又は、トリミング刃６８，７０のそれぞれは、剃毛刃５２に対して同一面内にない。この実施形態では、剃毛刃５２が剃毛面と係合したときに、トリミング刃６８，７０は剃毛面と作動可能に係合しない。例えば、トリミング刃６８，７０の一方と剃毛刃５２、又はウィング部５６，５８の一方の前部とハウジング４２の前部４４を基準点として用いた、ウィング部５６，５８の一方とハウジング４２との間に形成される夾角７６は、約４５度〜約１８０度、好ましくは約１１０度〜約１７０度、更により好ましくは約１５０度であり得る。第１のウィング部５６とハウジング４２との間の夾角、及び第２のウィング部５８とハウジング４２との間の夾角は、等しくてもよく、等しくなくてもよい。
【００２０】
ウィング部５６，５８は、ハウジング４２の第１の側部４８及び第２の側部５０に対して、実質的に剛性、可撓性、弾力的、又は弾性であってもよい。ウィング部５６，５８がハウジング４２の第１の側部４８及び第２の側部５０に対して実質的に剛性である実施形態において、ハウジング４２がウィング部と同じ材料で作製され、したがって同様に実質的に剛性である場合には、ハウジング４２の製造は、少ない工程及び少ない材料でより簡単に達成され得る。これに加えて又は代替的に、ウィング部５６，５８はハウジング４２と一体形成されることができる。ハウジング４２及びウィング部５６，５８を形成するのに適した方法としては、射出成形などの成形が挙げられる。ウィング部５６，５８がハウジング４２の第１の側部４８及び第２の側部５０に対して実質的に可撓性、弾力的、又は弾性である実施形態では、剃毛面と接触する際に、ハウジング４２の前部４４が回動するとき、ウィング部５６，５８は回動しないように構成され得る。これにより、ハウジング４２の前部４４を回動させる間、ウィング部５６，５８を適所に固定して、到達しづらい又は狭い領域内における制御されたトリミングを提供することが可能となり得る。例えば、ウィング部５６，５８は、ゴムピン、ヒンジ、スナップ嵌め接続、摩擦嵌め接続、雄雌嵌合、対応する相補形状の噛み合い等によって、第１の側部４８及び第２の側部５０に接続されていてもよい。
【００２１】
図５を参照すると、本発明のカートリッジの実施形態が示されている。カートリッジは、上部８４と、第１の側部８６と、その第１の側部８６と反対側の第２の側部８８とを有するハウジング８２を備えている。１つ以上の剃毛刃９０がハウジング８２内に配設されている。ハウジング８２はまた、第１の側部８６の上部部分９４に接する第１のウィング部９２と、第２の側部８８の上部部分９８に接する第２のウィング部９６とを備えている。ウィング部９２，９６はトリミング刃１００，１０２を備えている。ウィング部９２，９６は、第１のウィング部９２の上部及び第２のウィング部９６の上部が、ハウジング８２の上部８４の上方になる（例えば、上方に上昇する）ように配置される。この実施形態では、トリミング刃１００，１０２は、剃毛刃９２と同一面内にないか、又は平行でない。あるいは、ウィング部９２，９６は、第１のウィング部９２の上部及び第２のウィング部９６の上部がハウジング８２の上部８４より下方になる（例えば、下方に下降する）ように、又は、これらウィング部の一方の上部がハウジング８２の上部８４の上方になり、なおかつ他方のウィング部の上部がハウジング８２の上部８４の下方になるように配置されることがでる。第１のウィング部９２の上部又は第２のウィング部９６の上部と、ハウジング８２の上部８４との間に形成される夾角１０４は、約９０度〜約２７０度、好ましくは約１３５度〜約２２５度、より好ましくは約１５０度であり得る。第１のウィング部９２の上部とハウジング８２の上部８４との間の夾角、及び第２のウィング部９６の上部とハウジング８２の上部８４との間の夾角は、等しくてもよく、等しくなくてもよい。これに加えて又は代替えとして、ウィング部９２，９６は、トリミング刃１００，１０２を水ですすぐことができるように、トリミング刃１００に隣接した又は実質的に隣接した開口部などのリンスチャネル１０６，１０８を画定し得る。
【００２２】
図６は、本発明のかみそり１１０の実施形態を示す。かみそり１１０は、本明細書に記載されている実施形態のいずれかによるカートリッジを含み、カートリッジのハウジング１１２はウィング部１１４，１１６を備えている。ハウジング１１２は、ハンドル１２０のフード１１８に接続されている。一実施形態において、ハウジング１１２は、フード１１８を介してハンドル１２０に操作可能かつ取り外し可能に接続されている。例えば、ハウジング１１２は、剃毛面１２２と接触する際にハウジング１１２が回動するように、ハンドル１２０と回動可能に接続され得る。必要に応じて、コネクタ１２４，１２６（例えば、支柱、板、ピン等）が、例えば、フード１１８を介してウィング部１１４，１１６をハンドル１２０に接続してもよい。コネクタ１２４，１２６をウィング部１１４，１１６と、その任意の位置に沿って（例えば、ウィング部の遠位端又は近位端の位置で、並びにウィング部１１４，１１６の底部又は後部に）接続することができる。この実施形態では、コネクタ１２４，１２６は、ウィング部１１４，１１６とハンドル１２０とをしっかりと固定することができ、又は、コネクタ１２４，１２６は、ウィング部１１４，１１６とハンドル１２０とを回動可能に接続することができる。一実施形態では、ハウジング１１２が剃毛面１２２と接触する際、ハウジング１１２はハンドル１２０に対して回動することができ、ウィング部１１４，１１６はハンドル１２０に対して定位置に留まる。この実施形態では、ウィング部１１４，１１６の一方又は両方は、ハウジング１１２の側部に柔軟に取り付けられてもよい。例えば、ウィング部１１４，１１６は、ハウジング１１２の側部に、ヒンジにより取り付けられるか、又は折り畳み可能に取り付けられることができる。コネクタ１２４，１２６は、スナップ嵌め接続、摩擦嵌め接続、雄雌嵌合、対応する相補形状の噛み合い等により、ハンドル１２０にしっかりと接続されることができる。
【００２３】
ここで図６及び図７を参照すると、ハウジング１１２及びその中に配設された１つ以上の剃毛刃１２８を、剃毛する剃毛面１２２に当てることができる。ウィング部１１４，１１６上のトリミング刃１３０，１３２の一方を利用するために、ユーザーはハンドル１２０を単一回転軸において回転させることができ、それにより回転は約１８０度未満となり、その結果、トリミング刃１３０，１３２の一方がトリミングする剃毛面１２２と係合する。かかる実施形態では、ユーザーは、トリミング刃１３０，１３２の一方と剃毛面１２２とをより容易かつ簡単に整列及び係合させることができる。更に、トリミング刃１３０，１３２の一方が剃毛面１２２と係合するとき、剃毛刃１２８及び他方のトリミング刃は、剃毛面１２２と作動可能に係合しない。剃毛面を剃毛及びトリミングするための代替実施形態は、本明細書に記載のカートリッジ及び／又はかみそりの実施形態のいずれかの使用を包含する。
【００２４】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体にわたって記載されるあらゆる最小数値限定は、それより大きいあらゆる数値限定を、そのようなより大きい数値限定が本明細書に明示的に記載されているかのように含む。本明細書全体にわたって記載されるあらゆる数値範囲は、そのようなより広い数値範囲内にあるあらゆるより狭い数値範囲を、そのようなより狭い数値範囲が本明細書に全て明示的に記載されているかのように含む。
【００２５】
本明細書に開示した寸法及び値は、記載された正確な数値に厳密に限定されるものとして理解されるべきでない。むしろ、特に断らないかぎり、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【００２６】
相互参照されるか又は関連する全ての特許又は特許出願を含む、本願に引用される全ての文書を、特に除外又は限定することを明言しないかぎりにおいて、その全容にわたって本願に援用するものである。いずれの文献の引用も、こうした文献が本願で開示又は特許請求される全ての発明に対する先行技術であることを容認するものではなく、あるいは、こうした文献が、単独で、又は他の全ての参照文献とのあらゆる組み合わせにおいて、こうした発明のいずれかを参照、教示、示唆又は開示していることを容認するものでもない。更に、本文書において、ある用語の任意の意味又は定義の範囲が、援用文献中の同じ用語の任意の意味又は定義と矛盾する場合には、本文書中でその用語に与えられる意味又は定義が優先するものとする。
【００２７】
以上、本発明の特定の実施形態を例示、記載したが、本発明の趣旨及び範囲から逸脱することなく他の様々な変更及び改変を行いうる点は、当業者には明らかであろう。したがって、本発明の範囲に含まれるそのような全ての変更及び改変を添付の特許請求の範囲において網羅するものとする。
【図１】
0005587510.tif 000002
【図２】
0005587510.tif 000003
【図３】
0005587510.tif 000004
【図４】
0005587510.tif 000005
【図５】
0005587510.tif 000006
【図６】
0005587510.tif 000007
【図７】
0005587510.tif 000008